(57)【要約】【課題】次に選局される１つのチャンネルを特定することなくチャンネル切り替え後の番組出力に要する時間を短縮することができるデジタル放送受信機を提供すること。【解決手段】デジタル放送受信機は、複数のチャンネルの番組情報を同時に受信可能なチューナ部１０と、チューナ部１０によって受信した一のチャンネルの番組情報に含まれる音声情報を抽出して出力する音声処理部２２と、一のチャンネルの番組情報に含まれる画像情報を抽出して保存する記憶部６０と、記憶部６０に保存されている画像情報であって、音声情報が抽出される番組情報に対応する画像情報を読み出して表示する表示処理部２４と、切り替え対象となる複数のチャンネルが含まれるＥＰＧ情報を表示するＥＰＧ処理部３２と、ＥＰＧ情報に含まれる複数のチャンネルについて、番組情報に含まれる画像情報を取得して記憶部５０に保存する画像取得部２６とを備える。【選択図】図１
2015207910.tif 000002
【特許請求の範囲】
【請求項１】
複数のチャンネルの番組情報を同時に受信可能なチューナ部と、
前記チューナ部によって受信した一のチャンネルの番組情報に含まれる音声情報を抽出して出力する番組音声出力手段と、
前記一のチャンネルの番組情報に含まれる画像情報を抽出して保存する画像保存手段と、
前記画像保存手段に保存されている前記画像情報であって、前記音声情報が抽出される番組情報に対応する前記画像情報を読み出して表示する番組画像表示手段と、
切り替え対象となる複数のチャンネルが含まれるチャンネル切替情報を表示するチャンネル切替情報表示手段と、
前記チャンネル切替情報に含まれる複数のチャンネルについて、番組情報に含まれる画像情報を取得して前記画像保存手段に保存する画像取得手段と、
を備えることを特徴とするデジタル放送受信機。
【請求項２】
請求項１において、
前記チャンネル切替情報は、電子番組案内情報であることを特徴とするデジタル放送受信機。
【請求項３】
請求項１または２において、
前記画像取得手段は、前記チャンネル切替情報に含まれる複数のチャンネルについて、取得時点で受信可能な番組情報に含まれる画像情報を取得することを特徴とするデジタル放送受信機。
【請求項４】
請求項１〜３のいずれか一項において、
前記チャンネル切替情報が表示される表示画面が指示体で指し示されたときにこの指し示された位置を検出するタッチパネルと、
前記タッチパネルで検出した位置に対応する一のチャンネルを、前記音声情報が抽出される番組情報に対応するチャネルとして設定するチャンネル設定手段と、
をさらに備えることを特徴とするデジタル情報受信機。
【請求項５】
請求項１〜４のいずれか一項において、
前記番組情報に含まれる前記画像情報は、前記音声情報に対応して所定時間間隔で内容が更新される静止画情報であることを特徴とするデジタル情報受信機。
【発明の詳細な説明】
【技術分野】
【０００１】
本発明は、音声出力とともに画像表示を行うデジタル放送受信機に関する。
【背景技術】
【０００２】
従来から、複数のチューナを有し、一のチューナによるチャンネル受信動作と並行して、選局用のメニューを移動するカーソルの位置に基づいて次に選局されるチャンネルを予測し、他のチューナを用いてこのチャンネルの選局処理をバックグランドで行うようにしたデジタル放送受信機が知られている（例えば、特許文献１参照。）。これにより、空いているチューナを有効に活用し、処理時間を要するデジタル放送の選局時間を短縮することが可能となる。
【先行技術文献】
【特許文献】
【０００３】
【特許文献１】国際公開第２００６／１０９４７７号
【発明の概要】
【発明が解決しようとする課題】
【０００４】
ところで、上述した特許文献１に開示されたデジタル放送受信機では、選局用のメニューを移動するカーソルの位置に基づいて次に選局される１つのチャンネルを特定する必要があり、カーソルを用いずにチャンネルを指定するような選局方式を採用している場合には次に選局される１つのチャンネルを特定することができず、チャンネル切り替え後の番組出力に要する時間を短縮することができないという問題があった。例えば、タッチパネルを用いて、選局用のメニューに含まれる複数のチャンネルの中から、利用者が次に受信したいチャンネルを直接選択するような場合には、カーソルに基づいて１つのチャンネルを特定することができないため、特許文献１に開示された手法を用いることはできない。
【０００５】
本発明は、このような点に鑑みて創作されたものであり、その目的は、次に選局される１つのチャンネルを特定することなくチャンネル切り替え後の番組出力に要する時間を短縮することができるデジタル放送受信機を提供することにある。
【課題を解決するための手段】
【０００６】
上述した課題を解決するために、本発明のデジタル放送受信機は、複数のチャンネルの番組情報を同時に受信可能なチューナ部と、チューナ部によって受信した一のチャンネルの番組情報に含まれる音声情報を抽出して出力する番組音声出力手段と、一のチャンネルの番組情報に含まれる画像情報を抽出して保存する画像保存手段と、画像保存手段に保存されている画像情報であって、音声情報が抽出される番組情報に対応する画像情報を読み出して表示する番組画像表示手段と、切り替え対象となる複数のチャンネルが含まれるチャンネル切替情報を表示するチャンネル切替情報表示手段と、チャンネル切替情報に含まれる複数のチャンネルについて、番組情報に含まれる画像情報を取得して画像保存手段に保存する画像取得手段とを備えている。特に、上述したチャンネル切替情報は、電子番組案内情報であることが望ましい。
【０００７】
複数のチャンネルが含まれる電子番組案内情報等のチャンネル切替情報が表示されたときに、これら複数のチャンネルのそれぞれに対応する画像情報を受信して保存しておくことにより、実際にチャンネル切替を行って音声情報を出力する際に、この音声情報に対応する保存済みの画像情報を読み出して表示することが可能となり、次に選局される１つのチャンネルを特定することなくチャンネル切り替え後の番組出力（画像情報表示）に要する時間を短縮することができる。
【０００８】
また、上述した画像取得手段は、チャンネル切替情報に含まれる複数のチャンネルについて、取得時点で受信可能な番組情報に含まれる画像情報を取得することが望ましい。これにより、チャンネル切替によって表示する可能性がある画像情報を確実に取得することができる。
【０００９】
また、上述したチャンネル切替情報が表示される表示画面が指示体で指し示されたときにこの指し示された位置を検出するタッチパネルと、タッチパネルで検出した位置に対応する一のチャンネルを、音声情報が抽出される番組情報に対応するチャネルとして設定するチャンネル設定手段とをさらに備えることが望ましい。これにより、表示中のチャンネル切替情報に含まれるどのチャンネルがタッチパネルを用いて選択された場合であっても、この選択されたチャンネルの画像情報を少ない遅延時間で表示することが可能となる。
【００１０】
また、上述した番組情報に含まれる画像情報は、音声情報に対応して所定時間間隔で内容が更新される静止画情報であることが望ましい。１つの静止画情報の受信が所定時間継続するため、他の複数のチャンネル分の静止画情報を予め取得して保存した場合であっても、チャンネル切替後にこの保存した静止画情報を読み出してそのまま表示に用いることが可能となる。
【図面の簡単な説明】
【００１１】
【図１】一実施形態のデジタル放送受信機の構成を示す図である。
【図２】放送波に含まれる各チャンネルの概略的なフレーム構造を示す図である。
【図３】一のチャンネルに対応する番組情報を受信する動作手順を示す流れ図である。
【図４】チャンネル切り替え等のためにＥＰＧ情報を表示する際に画像情報を取得する動作手順を示す流れ図である。
【図５】ＥＰＧ情報画面の具体例を示す図である。
【発明を実施するための形態】
【００１２】
以下、本発明を適用した一実施形態のデジタル放送受信機について、図面を参照しながら説明する。図１は、一実施形態のデジタル放送受信機の構成を示す図である。図１に示すように、本実施形態のデジタル放送受信機は、チューナ部１０、制御部２０、音声出力部４０、表示部５０、タッチパネル５２、記憶部６０、操作部７０を備えている。このデジタル放送受信機は、車両に搭載されている。
【００１３】
チューナ部１０は、例えばシリウス（Sirius）ＸＭラジオの放送波を受信して復調処理および復号化処理を行って、音声情報と、Album Art と称される画像情報とが含まれる番組情報を再生する。例えば、３分程度の複数の楽曲を演奏する音楽番組を考えると、各楽曲に対応する静止画の画像情報を受信して表示することになる。各静止画の内容が更新される間隔は一定ではないが、数分程度の時間間隔で更新される。
【００１４】
図２は、放送波に含まれる各チャンネルの概略的なフレーム構造を示す図である。図２に示すように、放送波のフレームには、音声情報（Ａｕｄｉｏ）とデータサービス（Ｄａｔａ  Ｓｅｒｖｉｃｅ）が含まれている。このデータサービスには画像情報（Ｉｍａｇｅ  Ｄａｔａ）が含まれる。
【００１５】
チューナ部１０は、モジュール化されており、フロントエンド（ＦＥ）１２とデコーダ１４を含んで構成されている。フロントエンド１２は、アンテナ１６を介して受信した放送信号を中間周波データに変換する。デコーダ１４は、中間周波データに対して復調処理と復号化処理を行ってチャンネル毎の番組情報を生成する。この番組情報には、音声情報と画像情報が含まれている。なお、このチューナ部１０では、２チャンネル分の放送信号を同時に受信可能であって、図１では便宜上一方のチャンネルを受信する系統にＡの符号が、他方のチャンネルを受信する系統にＢの符号がそれぞれ付されている。なお、１チャンネル分の番組情報を受信するチューナ部を複数も設けるようにしてもよい。
【００１６】
制御部２０は、デジタル放送受信機全体の受信動作を制御しており、一のチャンネル分の音声情報出力と画像表示と並行して、ＥＰＧ（電子番組案内）に含まれる複数のチャンネル分の画像情報を取得して保存する動作をバックグラウンドで制御する。制御部２０の詳細については後述する。
【００１７】
音声出力部４０は、例えば増幅器やスピーカを含んで構成されており、制御部２０から出力される音声信号をスピーカから出力することにより音声情報出力を行う。表示部５０は、デジタル放送受信機の動作状態を示す動作画面や各種操作を行うための操作画面、ＥＰＧ画面、音声情報に対応する画像情報としての静止画画像などを表示する。タッチパネル５２は、表示部５０の表示画面上に重ねて配置されており、利用者が指示体（例えば、利用者自身の指）で操作画面等の一部を指し示したときにその位置を検出する。操作部７０は、タッチパネル５２とともに用いられて利用者が操作指示を行うためのものであり、各種の操作キーや操作つまみなどが含まれる。
【００１８】
記憶部６０は、例えばＲＡＭ等の半導体メモリを用いて構成されており、現在受信中の１つのチャンネル分の番組情報に含まれる静止画情報と、バックグランドで受信する複数のチャンネル分の番組情報に含まれる静止画情報とを格納する。本実施形態では、現在受信中のチャンネルの番組情報に含まれる静止画情報は、この記憶部６０に一旦保存された後読み出されて表示される。
【００１９】
次に、制御部２０の詳細について説明する。図１に示すように、制御部２０は、音声出力部２２、表示処理部２４、画像取得部２６、画像読出部２８、チャンネル設定部３０、ＥＰＧ処理部３２、入力処理部３４を含んでいる。
【００２０】
音声処理部２２は、受信中のチャンネルの番組情報に含まれる音声情報を抽出する。この音声情報は、所定形式の音声信号に変換されて出力される。上述した音声出力部は、音声処理部２２から出力される音声信号を増幅してスピーカから出力する。
【００２１】
表示処理部２４は、受信中のチャンネルの番組情報に含まれる静止画画像や、ＥＰＧ画面などを表示するための描画処理を行う。描画処理された情報は、所定形式の映像信号に変換されて表示部５０に入力され、表示部５０によって静止画画像やＥＰＧ画面などが表示される。
【００２２】
画像取得部２６は、現在受信中の１つのチャンネル分の番組情報に含まれる静止画情報と、バックグランドで受信する複数のチャンネル分の番組情報に含まれる静止画情報とを取得する。但し、現在受信中のチャンネルの番組情報に含まれる静止画情報が既に取得済みの場合には、この静止画情報の取得動作は省略される。取得された静止画情報は記憶部６０に保存される。なお、記憶部６０は、現在受信中のチャンネルの番組情報に含まれる静止画情報と、ＥＰＧ画像１枚分に含まれるチャンネル数分の静止画情報とを少なくとも保存可能な容量を有しており、ＥＰＧ画像の内容が切り替わった場合には、その後にこのＥＰＧ画像に含まれるチャンネルの静止画情報が取得された際に上書きされるようになっている。
【００２３】
画像読出部２８は、表示処理部２４による表示対象となる静止画情報を記憶部６０から読み出す。読み出された静止画情報は表示処理部２４に入力される。チャンネル設定部３０は、タッチパネル５２あるいは操作部７０を用いて、受信中のチャンネルの切り替えが指示されたときに、チューナ部１０に対して受信チャンネルの変更を指示する。本実施形態では、ＥＰＧ画像に含まれる複数のチャンネルの中から１つのチャンネルを利用者が指で指し示し、この指し示した位置をタッチパネル５２を用いて検出することにより、チャンネルの切り替えが行われる。
【００２４】
ＥＰＧ処理部３２は、操作部７０によってＥＰＧ画像の表示や切り替えが指示されたときに、該当ページのＥＰＧ画像を取得する。入力処理部３４は、タッチパネル５２を用いた接触位置の検出や、操作部７０を用いた操作内容を検出を行っており、これらの検出結果に対応する操作指示を制御部２０の各部に入力する。
【００２５】
上述した音声処理部２２、音声出力部４０が番組音声出力手段に、記憶部６０が画像保存手段に、画像読出部２８、表示処理部２４、表示部５０が番組画像表示手段に、ＥＰＧ処理部３２、表示処理部２４、表示部５０がチャンネル切替情報表示手段に、画像取得部２６が画像取得手段に、チャンネル設定部３０がチャンネル設定手段にそれぞれ対応する。
【００２６】
本実施形態のデジタル放送受信機はこのような構成を有しており、次にその動作を説明する。
【００２７】
図３は、一のチャンネルに対応する番組情報を受信する動作手順を示す流れ図である。車両のアクセサリーキースイッチがオンされ、あるいは、操作部７０に備わった電源スイッチがオンされて、本実施形態のデジタル放送受信機が動作を開始すると、まず、チャンネル設定部３０は、受信対象となる１つのチャンネルを選択する（ステップ１００）。例えば、前回電源を切断する直前に受信していたチャンネルが不揮発性メモリ（図示せず）などに記録されており、ステップ１００ではこのチャンネルが選択される。チャンネル選択が終了すると、チューナ部１０によってこのチャンネルに対応する番組情報の受信が開始される。
【００２８】
次に、音声処理部２２は、受信中の番組情報に含まれる音声情報を抽出し、音声出力部４０によって音声出力を行う（ステップ１０２）。また、画像取得部２６は、受信中の番組情報に含まれる画像情報（静止画情報）が記憶部６０に保存されているか否かを判定する（ステップ１０４）。保存されていない場合には否定判断が行われ、画像取得部２６は、この画像情報を新たに取得して記憶部６０に保存する（ステップ１０６）。
【００２９】
次に、あるいは、受信中の番組情報に含まれる画像情報が記憶部６０に保存されている場合にはステップ１０４の判定において肯定判断が行われた後、画像読出部２８は、受信中の番組情報に含まれる静止画情報を記憶部６０から読み出し（ステップ１０８）、表示処理部２４は、音声情報に対応する静止画画像を表示部５０に表示する（ステップ１１０）。
【００３０】
次に、チャンネル設定部３０は、受信中のチャンネルを切り替えるか否かを判定する（ステップ１１２）。利用者によってチャンネル切り替えが指示されない場合には否定判断が行われ、ステップ１０２に戻って受信中のチャンネルの音声出力動作が継続される。また、利用者によってチャンネル切り替えが指示された場合にはステップ１１２の判定において肯定判断が行われる。この場合には、ステップ１００に戻って、切り替え後のチャンネル選択が行われる。
【００３１】
図４は、チャンネル切り替え等のためにＥＰＧ情報を表示する際に画像情報を取得する動作手順を示す流れ図である。ＥＰＧ処理部３２は、タッチパネル５２や操作部７０を用いて利用者によってＥＰＧ情報の表示が指示がされたか否かを判定する（ステップ２００）。指示されない場合には否定判断が行われ、この判定が繰り返される。また、ＥＰＧ情報の表示が指示されるとステップ２００の判定において肯定判断が行われる。
【００３２】
次に、ＥＰＧ処理部３２は、例えばバックグランドでＥＰＧ情報を取得し、表示処理部２０２は、現在時刻を含む（現在受信可能なチャンネルの情報を含む）ＥＰＧ情報を表示部５０に表示する（ステップ２０２）。
【００３３】
図５は、ＥＰＧ情報画面の具体例を示す図である。図５に示すＥＰＧ情報画面には、６つのチャンネルのチャンネル情報（番組内容）が、１２：００ｐｍから２：００ｐｍまでの放送時間について示されている。なお、図５において、「０２９」、「０３０」等の数字はチャンネル番号を、「ＡＡＡ」、「ＢＢＢ」等の文字列はチャンネル名称をそれぞれ示している。また、ＵＰキー１１０およびＤＯＷＮキー１１２は表示対象となるＥＰＧ情報の画面切り替え（あるいはチャンネルスクロール）を指示するボタンである。ＬＥＦＴキー１１４およびＲＩＧＨＴキー１１６は、表示対象となる時間枠の変更を指示するボタンである。利用者は、これらの各種ボタンを直接指で指し示すことにより、対応する動作を指示することができる。また、利用者は、番組内容（図５に示す例では、番組のタイトル）を直接指で指し示すことにより、指し示した番組を選択することができる。この場合には、指し示された番組の番組情報を取得するためにチャンネル切り替えが指示されたことになり、図３のステップ１１２、１００に示したチャンネル切り替えが実施される。
【００３４】
図５に示すＥＰＧ情報表示が行われると、画像取得部２６は、このＥＰＧ情報に含まれる複数（６つ）のチャンネルのいずれかを選択し、この選択したチャンネルにおいて放送中の番組情報に含まれる画像情報を取得し（ステップ２０４）、この取得した画像情報を記憶部６０に保存する（ステップ２０６）。その後、画像取得部２６は、画像情報の取得が終了していない他のチャンネルがあるか否かを判定する（ステップ２０８）。画像情報が未取得のチャンネルがある場合には否定判断が行われ、ステップ２０４に戻って画像情報の取得動作が繰り返される。また、画像情報が未取得のチャンネルがない場合（ＥＰＧ情報に含まれる６つのチャンネルについて画像情報の取得が終了した場合）にはステップ２０８の判定において否定判断が行われる。
【００３５】
次に、ＥＰＧ処理部３２は、タッチパネル５２や操作部７０を用いて利用者によってＥＰＧ情報の切り替え指示がなされたか否かを判定する（ステップ２１０）。指示されない場合には否定判断が行われ、ＥＰＧ処理部３２は、ＥＰＧ情報の表示を終了させるか否かを判定する（ステップ２１２）。利用者によってＥＰＧ情報の表示終了が指示されない場合には否定判断が行われ、ステップ２１０に戻って切り替え指示の有無判定が繰り返される。また、利用者によってＥＰＧ情報の表示終了が指示されるとステップ２１２の判定において肯定判断が行われ、ＥＰＧ情報の表示動作が終了する。
【００３６】
また、利用者によってＥＰＧ情報の切り替え指示がなされた場合にはステップ２１０の判定において肯定判断が行われる。次に、画像取得部２６は、切り替え後のＥＰＧ情報に現在時刻の番組内容が含まれるか否かを判定する（ステップ２１４）。現在時刻の番組内容が含まれる場合には肯定判断が行われ、ステップ２０２に戻って切り替え後のＥＰＧ情報の表示以降の動作が繰り返される。また、現在時刻の番組内容が含まれない場合にはステップ２１４の判定において否定判断が行われる。この場合には、ＥＰＧ処理部３２は、切り替えが指示されたＥＰＧ情報を取得し、表示処理部２４は、現在時刻を含まない（現在受信可能なチャンネルの情報を含まない）ＥＰＧ情報を表示部５０に表示する（ステップ２１６）。その後、ステップ２１０に戻って切り替え指示の有無判定が繰り返される。
【００３７】
例えば、図５に示すＥＰＧ情報が表示された時点での時刻が１２：１５ｐｍの場合を考える。このとき、ＲＩＧＨＴキー１１６を指し示すことにより、２：００ｐｍ以降の番組内容を表示させることができるが、この時点で表示されているＥＰＧ情報には現在時刻（の番組内容）が含まれないことになる。このようなＥＰＧ情報を用いてチャンネル切り替えを行っても、その時点で受信可能な番組情報を選択することはできないため、このような場合には画像情報の受信動作を行わないようにしている。
【００３８】
このように、本実施形態のデジタル放送受信機では、複数のチャンネルが含まれるＥＰＧ情報等のチャンネル切替情報が表示されたときに、これら複数のチャンネルのそれぞれに対応する画像情報を受信して保存しておくことにより、実際にチャンネル切替を行って音声情報を出力する際に、この音声情報に対応する保存済みの画像情報を読み出して表示することが可能となり、次に選局される１つのチャンネルを特定することなくチャンネル切り替え後の番組出力（画像情報表示）に要する時間を短縮することができる。
【００３９】
また、ＥＰＧ情報に含まれる複数のチャンネルについて、取得時点で受信可能な番組情報に含まれる画像情報を取得しており、チャンネル切替によって表示する可能性がある画像情報を確実に取得することができる。
【００４０】
また、タッチパネル５２で検出した位置に対応する一のチャンネルを、音声情報が抽出される番組情報に対応するチャネルとして設定しており、表示中のチャンネル切替情報に含まれるどのチャンネルがタッチパネル５２を用いて選択された場合であっても、この選択されたチャンネルの画像情報を少ない遅延時間で表示することが可能となる。
【００４１】
また、音声情報に対応する１つの静止画情報の受信が所定時間継続するため、他の複数のチャンネル分の静止画情報を予め取得して保存した場合であっても、チャンネル切替後にこの保存した静止画情報を読み出して短時間（例えば１秒程度）そのまま表示に用いることが可能となる。
【００４２】
なお、本発明は上記実施形態に限定されるものではなく、本発明の要旨の範囲内において種々の変形実施が可能である。例えば、上述した実施形態では、シリウスＸＭラジオの放送波を受信するデジタル放送受信機について説明したが、その他の方式の放送波を受信するデジタル放送受信機について本発明を適用することができる。また、車両に搭載されたデジタル放送受信機に限定されるものではなく、車載以外のデジタル放送受信機に本発明を適用してもよい。
【産業上の利用可能性】
【００４３】
上述したように、本発明によれば、複数のチャンネルが含まれる電子番組案内情報等のチャンネル切替情報が表示されたときに、これら複数のチャンネルのそれぞれに対応する画像情報を受信して保存しておくことにより、実際にチャンネル切替を行って音声情報を出力する際に、この音声情報に対応する保存済みの画像情報を読み出して表示することが可能となり、次に選局される１つのチャンネルを特定することなくチャンネル切り替え後の番組出力に要する時間を短縮することができる。
【符号の説明】
【００４４】
１０  チューナ部
２０  制御部
２２  音声出力部
２４  表示処理部
２６  画像取得部
２８  画像読出部
３０  チャンネル設定部
３２  ＥＰＧ処理部
３４  入力処理部
４０  音声出力部
５０  表示部
５２  タッチパネル
６０  記憶部
７０  操作部
【図１】
2015207910.tif 000003
【図２】
2015207910.tif 000004
【図３】
2015207910.tif 000005
【図４】
2015207910.tif 000006
【図５】
2015207910.tif 000007